(57)【要約】【課題】構造的な制約が少なく、開放感があると共に収納効率の高い収納装置を提供する。【解決手段】上下方向に並んで配置された複数段の陳列棚であって、陳列物の環境条件を制御する調整用空気Ａを吹出しおよび吸込み可能な陳列棚５と、これらの陳列棚５を支持する支柱３であって、調整用空気Ａの給気および排気するダクト１４および１５を備えた支柱３および４とを有する収納装置１を提供する。調整用空気Ａを陳列棚５から上方または下方に吹出すと共に、吹き出した調整用空気Ａを陳列棚５から吸い込むことにより、エアーカーテンを用いることなく、陳列物を所望の条件下に維持できる。この方式により、エアーカーテンが不要になり、軽いトップパネル６を採用したり、ダクト１４および１５を備えた細い支柱３および４で各々の陳列棚５やトップパネル６を支持することが可能になり、構造的な制約がなく、開放感のある収納効率の高い収納装置１を提供できる。【選択図】        図１
2004261350.tif 000002
【特許請求の範囲】
【請求項１】
上下方向に並んで配置された複数段の陳列棚であって、陳列物の環境条件を制御する調整用空気を吹出し、および／または吸込み可能な陳列棚と、
これらの陳列棚を支持する支柱であって、前記調整用空気を給気および排気するダクトを備えた支柱とを有する収納装置。
【請求項２】
請求項１において、水平方向に延びた前記陳列棚の長手方向の少なくとも一方の端が前記支柱により支持されている収納装置。
【請求項３】
請求項１において、水平方向に延びた前記陳列棚の幅方向のほぼ中央が前記支柱により支持されている収納装置。
【請求項４】
請求項１において、前記陳列棚は１本の前記支柱により支持されている収納装置。
【請求項５】
請求項４において、前記陳列棚は円盤状をしており、その中心付近を前記支柱が貫通している収納装置。
【請求項６】
請求項４において、前記陳列棚は扇状をしており、その中心付近の端部に前記支柱が配置されている収納装置。
【請求項７】
請求項１において、前記陳列棚は、当該陳列棚の表面および／または裏面に分散された複数の前記調整用空気を吹き出す吹出孔および／または前記調整用空気を吸込む吸込孔を備えている収納装置。
【請求項８】
請求項１において、前記支柱のダクトから水平方向に延びる分岐ダクトを有する収納装置。
【請求項９】
請求項１において、最上段の前記陳列棚の上方に配置された天井パネルを有する収納装置。
【請求項１０】
請求項９において、前記天井パネルは透明である収納装置。
【請求項１１】
請求項１において、前記調整用空気を形成する機械室を有しており、この機械室から前記支柱が上方に延びている収納装置。
【発明の詳細な説明】
【０００１】
【発明の属する技術分野】
本発明はスーパーマーケットなどに設置されるショーケースまたは収納装置に関するものである。
【０００２】
【従来の技術】
スーパーマーケットやコンビニエンスストアなどに、商品を陳列または展示するために設置されるショーケースとして、前面にエアーカーテンが形成され、飲料缶などの商品を冷蔵可能なオープンショーケースと称される収納装置が知られている。
【０００３】
【特許文献１】
特開２００２−３４５６０７号公報
【０００４】
【発明が解決しようとする課題】
オープンショーケースでは、ケース前面に、天井部から冷風を下に吹き出すことによりエアーカーテンを形成して、外界と庫内を遮断し、庫内を所望の温度に維持する。このため、冷風を天井部までダクトで供給する必要がある。したがって、下から天井部までエアーカーテンを形成するのに十分な風量の冷風を供給するダクトを配置する必要があり、店舗に設置したときの騒音を防止するために風速をできるだけ低く抑えようとすると断面積の大きなダクトを天井まで設置する必要がある。このため、オープンショーケースは、下から天井部まで太いダクトを配置することが必要であり、そのデザインは限られたものになる。
【０００５】
また、天井部は、先端からエアーカーテンを生成できるだけの十分な風量を吹き出す必要があるので、内部に太いダクトを納める必要がある。したがって、天井部は、厚みが大きく、また、ショーケースの陳列棚に対して重く、サイズの大きなものになる。このため、天井部は、デザインとしても目立ち、さらに、ショーケースのフレームは、その重く大きな天井部を支持できるだけの強度が要求される。これに伴って、ショーケースのフレームは、美感もさることながら、強度を優先したデザインを採用せざるを得ない。このため、この点でもオープンショーケースのデザインは限られてしまう。
【０００６】
さらに、断面積の大きなダクトを目立たないようにショーケースに設けようとすると、断面を細長くして、壁状にするしかなく、開放感の乏しいデザインとなってしまう。また、商品の貯蔵効率または収納効率も低くなる。
【０００７】
そこで、本発明においては、オープンショーケースに適した、さらに開放感がある収納装置を提供することを目的としている。それと共に収納効率が高く、構造的な制限の少ない収納装置を提供することを目的としている。そして、様々なデザインのオープンショーケースを実現することができる収納装置を提供することを目的としている。
【０００８】
【課題を解決するための手段】
このため、本発明では、天井から下までエアーカーテンを形成するのではなく、陳列物の環境条件を制御する調整用空気を陳列棚から吹出しおよび／または吸い込み、さらに、その陳列棚を、給排気を行うダクトを備えた支柱で支持する収納装置を提供する。すなわち、本発明の収納装置は、上下方向に並んで配置された複数段の陳列棚であって、陳列物の環境条件を制御する調整用空気を吹出し、および／または吸込み可能な陳列棚と、これらの陳列棚を支持する支柱であって、調整用空気を給気および排気するダクトを備えた支柱とを有する。
【０００９】
本発明の収納装置では、陳列棚から調整用空気の吹出しおよび／または吸込みを行うことにより、陳列棚毎に陳列物の保管に適した環境条件を生成する。したがって、天井からエアーカーテンを形成しなくても、陳列棚に陳列された商品などの陳列物を所望の温度や湿度を含む環境条件で展示するができる。このため、天井から膨大な量の冷風を吹き出す必要はなくなる。その結果、まず、天井にダクトを収納する必要はなく、天井を省略することが可能となる。また、天井を設けるとしても、天井をデザインするのにダクトを考慮する必要はなく、様々なデザインの天井を設置できる。例えば、陳列棚と同サイズで軽い天井または天井パネルを採用でき、この天井パネルを支持するフレームまたは支柱も簡易なもので良い。また、天井パネルを透明にすることも可能である。
【００１０】
また、陳列棚から調整用空気を吹出したり、吸い込む本発明の方式では、陳列棚により区切られた空間を、陳列棚から吹き出したり吸込んだりする空気により所望の環境条件に維持するものであり、庫内全体を外界からエアーカーテンにより遮断する方式と比較すると風量を小さくできる可能性がある。さらに、上下に並んで配置された陳列棚に環境調整用の空気を順次分配していくので、上方に行くほど給排気する調整用空気の量は少なくなる。したがって、少なくとも上方に配置されるダクト径を小さくすることが可能となり、ダクトの占める面積を小さくできる。このため、ダクトを壁状に広げなくても風量を確保することが可能となり、ダクトを支柱に沿わせて配置したり、ダクトと一体になった支柱を採用することが可能となる。したがって、ダクトを備えた支柱で陳列棚を支持することが可能となる。また、ダクトを備えた支柱で陳列棚を支持することにより、ダクトから陳列棚への調整用空気の分配も可能となる。
【００１１】
したがって、本発明の収納装置においては、エアーカーテンを形成するための天井部は不要となり、従来、重く、大きな天井部を配置し、また、その天井部を支持しなければならないという制約がなくなる。さらに、天井部まで膨大な量の冷風を供給する必要がなくなるので、断面積の大きなダクトを天井まで配置しなければならないという制約もなくなる。特に、ダクトを備えた支柱を採用することにより、基本的には、陳列棚と支柱という、環境調節機能のない収納装置とほぼ同じ構成要素で、環境調整機能を備えた収納装置を提供できる。すなわち、本発明の収納装置は、従来のエアーカーテン式のオープンショーケースの構造的な制限をほとんど除くことができ、様々なデザインのオープンショーケースを実現することができる。
【００１２】
例えば、重く、大きな天井部を省略できるので、開放的なオープンショーケースを提供できる。さらに、ダクトを支柱に備えさせることにより、ダクトをカバーする背面パネルは不要となり、前後から極めて容易にアクセスできる開放的なショーケースを提供できる。もちろん、上述したように、軽い天井部、透明な天井部、薄い背面パネル、透明な背面パネルなど、ダクトを配置するという制約を受けない天井やパネルを設けることも自由である。そして、天井部やダクトスペースが開放されるので、開放感があると共に収納効率の高い収納装置を提供できる。
【００１３】
本発明に含まれる１つのデザインの収納装置は、水平方向に延びた陳列棚の長手方向の少なくとも一方の端が支柱により支持されているものである。陳列棚の端以外は陳列のために全く自由に利用でき、幅方向のどちらからでもアクセスできるので、陳列効率の高い収納装置を提供できる。
【００１４】
本発明に含まれる他の１つのデザインの収納装置は、水平方向に延びた陳列棚の幅方向のほぼ中央が支柱により支持されているものである。長手方向の両側に広い陳列スペースを確保することができる。
【００１５】
陳列棚は、複数の支柱により支持されていても良く、それらの内の少なくとも１つ以上の支柱がダクトを備えていれば良い。本発明に含まれる他の１つのデザインの収納装置は、陳列棚が１本の支柱により支持されているものである。支柱が少ないので、さらに開放感があり、陳列物にアクセスしやすい。例えば、陳列棚は円盤状をしており、その中心付近を支柱が貫通している収納装置を提供できる。また、陳列棚は扇状をしており、その中心付近の端部に支柱が配置されている収納装置を提供できる。陳列棚は、方形あるいは多角形であってももちろん良い。扇状や非対称的なデザインの陳列棚を用いた収納装置は、店舗の角や、陳列ラインの端に設置するのに適したデザインである。また、対称的なデザインの陳列棚は、スペースの中央に配置するのに適したデザインである。支柱の周囲を回転するように陳列棚を取り付ければ、ユーザが陳列棚を回転させながら商品を選ぶショーケースであって、それぞれの陳列棚には陳列物が所望の環境条件で収納されたショーケースを提供できる。
【００１６】
陳列物に対して、より均等に調整用空気を供給するには、陳列棚の表面および／または裏面に分散された複数の調整用空気を吹き出す吹出孔および／または調整用空気を吸込む吸込孔を設けることが望ましい。陳列棚の表面から調整用空気を吹き出したり、吸い込む場合は、その陳列棚に置かれた陳列物を冷蔵、温蔵、加湿、乾燥など様々な条件で収納できる。陳列棚の裏面から調整用空気を吹き出したり、吸込む場合は、下に位置する陳列棚に置かれた陳列物の環境条件を制御できる。
【００１７】
支柱のダクトから陳列棚に沿って水平方向に延びる分岐ダクトを設け、この分岐用ダクトから適当なピッチで陳列棚に調整用空気を供給したり、分岐用ダクトから調整用空気を吹出したり、吸込んだりすることも可能である。また、分岐用ダクトを陳列棚に内蔵させることも可能である。
【００１８】
本発明の収納装置は、調整用空気を形成する熱交換器などの機器が収納された機械室または機械ユニットを別体として提供することも可能である。また、機械室を最下層の陳列棚の下に配置し、支柱を支持する基礎部分を兼ねて配置することも可能である。
【００１９】
【発明の実施の形態】
以下に図面を参照して、本発明をさらに詳しく説明する。図１に収納装置の外観を示してある。本例の収納装置１は床置き型のショーケースであり、基礎部分となるベース２と、このベース２から立ち上がった２本の支柱３および４と、これらの支柱３および４に支持されて上下方向に並んだ５段の陳列棚５と、陳列棚５のさらに上方に配置されたクリアトップパネル（天井パネル）６とを有している。また、ベース２の上面２ａも陳列するスペース１０として用いられるようになっている。この収納装置１では、陳列棚５により区切られた空間１０の環境条件を制御するための調整用空気Ａを各々の陳列棚５に設けられた吹出孔２３から空間１０に吹出し、さらに、空間１０に吹出した調整用空気Ａを陳列棚５に設けられた吸気孔２５から吸気することにより、空間１０に展示された、または陳列棚５に置かれた陳列物、すなわち商品を所望の条件で保持できる。
【００２０】
本例の収納装置１は、上方の３つの陳列棚５ａにおいては、それぞれの陳列棚の上側の３つの空間１０に調整用空気Ａとして温風Ａ１を吹出して商品を温蔵し、下側の２つの陳列棚５ｂにおいては、それぞれの陳列棚の下側の２つの空間１０に調整用空気Ａとして冷風Ａ２を吹出して商品を冷蔵するようになっている。この収納装置１では、上から３番目の陳列棚の下の空間には調整用空気Ａが供給されず、この空間はほぼ常温に保たれることになる。この空間に対して上下いずれか一方の陳列棚から温風Ａ１あるいは冷風Ａ２を吹出すことも可能である。
【００２１】
このように、本例の収納装置１においては、これら陳列棚５ａおよび５ｂにより区切られた各々の空間１０に対して適当に調整された調整用の空気を供給することにより、それぞれの空間１０の条件を制御できる。なお、最上段の空間１０は、最上段の陳列棚５ａとクリアトップパネル６に区切られているということもできる。また、本発明においては、収納装置１のそれぞれの空間１０は、冷蔵および温蔵に限らず、さらに低温の冷凍に設定することも可能である。冷蔵あるいは温蔵にする場合も、それぞれの陳列棚により区切られた空間、すなわち、陳列棚の上あるいは下の空間に対して温度の異なる冷風あるいは温風を供給することにより、複数の冷蔵あるいは温蔵の条件を設定することも可能である。さらに、空間１０を加湿したり、乾燥させるなど異なる湿度に設定したり、空間１０に香りのある空気を供給するなど、空間１０を温度以外の条件も含めた特定の環境条件に設定させる空気Ａを供給することができる。
【００２２】
図２に、収納装置１における温風Ａ１の流れを示してあり、図３に収納装置１における冷風Ａ２の流れを示してある。陳列棚５ａおよび５ｂの長手方向Ｘの両端を支持する２つの支柱３および４の一方の支柱３は陳列棚５ａおよび５ｂに対して温風Ａ１を供給可能なダクト１４ｓと、陳列棚５ａおよび５ｂを介して温風Ａ１を回収可能な排気ダクト１４ｅを備えている。また、他方の支柱４は冷風Ａ２を陳列棚５ａおよび５ｂに供給可能な給気ダクト１５ｓと、陳列棚５ａおよび５ｂを介して冷気Ａ２を回収可能な排気ダクト１５ｅを備えている。これらのダクト１４ｓ、１４ｅ、１５ｓおよび１５ｅは支柱３および４と共にベース２から立ち上がっており、ベース２に内蔵された機械室１８において適当な温度あるいは湿度に調整された調整用の空気Ａを上方の陳列棚５ａおよび５ｂに対して給排気する。陳列棚５ａおよび５ｂにおいては、ダンパや取り付け方向などの方法により、支柱３と共に立ち上がった温風用のダクト１４ｓおよび１４ｅと接続するか、支柱４と共に立ち上がった冷風用のダクト１５ｓおよび１５ｅと接続するかを自由に選択できるようになっており、上記の温蔵用の空間と冷蔵用の空間の配置は自由に変えることができる。
【００２３】
ベース２に内蔵された機械室１８には、温風用の熱交換器１１ｈおよび送風ファン１２ｈとが設置されており、温風Ａ１が給排気ダクト１４ｓおよび１４ｅにより循環して、適切に温度調整された空気Ａ１が陳列棚５ａから供給される。また、機械室１８には、冷風Ａ２が給排気ダクト１５ｓおよび１５ｅにより循環して、適切に温度調整された空気Ａ２が陳列棚５ｂから供給される。温風の熱源や、冷風の温度調整用にヒーター１３を機械室１８に設けることも有効である。また、調整用空気Ａの湿度調整用に機械室１８に加湿器３１を設けることも有効である。
【００２４】
支柱３および４に長手方向の端がそれぞれ支持された陳列棚５ａおよび５ｂには、それぞれの支柱３および４に内蔵された供給用のダクト１４ｓおよび１５ｓから温風Ａ１および冷風Ａ２が供給され、陳列棚５ａおよび５ｂに分散して設けられた複数の吹出孔２３から空間１０に出力される。上側の３つの陳列棚５ａは表面５１に複数の吹出孔２３が分散して形成されており、支柱３に内蔵された給気ダクト１４ｓから供給された温風Ａ１が各々の吹出孔２３から上方に吹き出される。これに対し、下方の２つの陳列棚５ｂは裏面５２に複数の吹出孔２３が分散して形成されており、支柱４に内蔵された給気ダクト１５ｓから供給された冷風Ａ２が各々の吹出孔２３から下方に吹き出される。
【００２５】
図４に陳列棚５ａの詳細を示してある。陳列棚５ａは、長手方向Ｘに延びた供給分岐ダクト２１と排気分岐ダクト２２とを内蔵している。支柱３および４の上下方向Ｚに所定の間隔で設けられた複数の取付孔２７のいずれかにフック２８を引っ掛け、このフック２８に陳列棚５ａおよび５ｂを載せることにより、所望の高さに陳列棚５ａおよび５ｂを簡単に取り付けできる。陳列棚５ａを支柱３および４に取り付けるときに、内蔵されたダクトの開口２１ｏおよび２２ｏを支柱３に向け、開口２１ｏを給気ダクト１４ｓの給気口１６ｓと接続し、開口２２ｏを排気ダクト１４ｅの排気口１６ｅに接続する。したがって、温風Ａ１が陳列棚５ａの分岐ダクト２１および２２に給排気され、陳列棚５ａの上の空間１０を温蔵用のスペースとして利用できるようになる。
【００２６】
一方、図５に示すように、陳列棚５ｂは、それを支柱３および４に取り付けるときに、それぞれのダクトの開口２１ｏおよび２２ｏを支柱４に向け、開口２１ｏを給気ダクト１５ｓの給気口１６ｓと接続し、開口２２ｏを排気ダクト１５ｅの排気口１６ｅに接続する。したがって、冷風Ａ２が陳列棚５ｂの分岐ダクト２１および２２に給排気され、陳列棚５ｂの下の空間１０を冷蔵用のスペースとして利用できる。本例の収納装置１においては、下吹出の陳列棚５ｂを冷蔵用に利用しているが、上吹出しの陳列棚５ａを、そのダクトの開口２１ｏおよび２２ｏを支柱４に向け、開口２１ｏを給気ダクト１５ｓの給気口１６ｓと接続し、開口２２ｏを排気ダクト１５ｅの排気口１６ｅに接続することも可能である。この場合は、冷風Ａ２が陳列棚５ａの分岐ダクト２１および２２に給排気され、陳列棚５ａから上の空間１０に吹出されるので、陳列棚５ａの上の空間１０を冷蔵用のスペースとして利用できる。同様に、下吹出しの陳列棚５ｂにより陳列棚５ｂの下方に温蔵用のスペースを形成できる。陳列物は陳列棚の上に設置されるので、上吹出しの陳列棚５ａから上方に冷風を吹出した場合は、陳列棚５ａの上方の陳列物を効率良く冷却できる。しかしながら、下吹出しの陳列棚５ｂにより温風を下に吹出した場合は、吹出し口から下方の陳列物までの距離があり、温蔵効率が低下する可能性がある。したがって、温蔵の場合は上吹出しの陳列棚５ａを用いることが望ましい。
【００２７】
図４に示すように、陳列棚５ａの表面５１には、供給分岐ダクト２１から調整用空気Ａ（この場合は温風Ａ１）を上方に吹出す複数の吹出孔２３が分散して形成されており、分岐ダクト２１に繋がっている。したがって、陳列棚５ａの上の空間１０に陳列された商品（陳列物）に調整用空気Ａを均等に供給することができる。さらに、陳列棚５ａの表面５１の幅方向の中央に一段高くなった一条の突起部２４が長手方向Ｘに延びており、それに沿って調整用空気Ａを吸い込む複数の吸込孔２５が形成されて、陳列棚内部の排気分岐ダクト２２に連通している。したがって、陳列棚５ａの表面から調整用空気Ａを吸込んで排気できる。このため、陳列棚５ａにおいては、調整用空気Ａが、表面５１のほぼ全面に設けられている吹出孔２３から上方の空間１０に吹出され、陳列棚表面５１の吸込孔２５から吸い込まれる。したがって、陳列棚５ａの上の空間１０に、陳列棚５ａの単位で調整用空気Ａが循環し、陳列棚５ａの上に配置された商品の周囲の環境を所望の条件で維持できる。このため、天井から大量の空気を噴出してエアーカーテンを形成し、複数の陳列棚全体を外界から隔離しなくても陳列棚の上部の空間を冷蔵あるいは温蔵用に利用できる。
【００２８】
一方、下吹出しの陳列棚５ｂは、図５に示すように、その裏面５２は、供給分岐ダクト２１に供給された調整用空気（この場合は冷風Ａ２）を下方に吹出す複数の吹出孔２３が分散して形成されており、分岐ダクト２１に繋がっている。したがって、陳列棚５ｂの下の空間１０に陳列された商品（陳列物）に調整用空気Ａを均等に供給することができる。さらに、陳列棚５ｂの表面５１の幅方向の中央に一段低くなった一条の突起部２４が長手方向Ｘに延びており、それに沿って調整用空気Ａを吸い込む複数の吸込孔２５が形成されて、陳列棚内部の排気分岐ダクト２２に連通している。したがって、陳列棚５ｂにおいては、調整用空気Ａが、裏面５２のほぼ全面に設けられている吹出孔２３から下方の空間１０に吹出され、下段の陳列棚の裏面５２の吸込孔２５から吸い込まれる。したがって、この方式であっても、陳列棚５ｂの下の空間１０に陳列棚５ｂの単位で調整用空気Ａが循環し、陳列棚５ｂの上の空間に配置された商品の周囲の環境を所望の条件で維持できる。このため、天井から大量の空気を噴出してエアーカーテンを形成し、複数の陳列棚全体を外界から隔離しなくても陳列棚の下方の空間を冷蔵あるいは温蔵用に利用できる。なお、陳列棚５ｂの裏面５２に吸込孔２５を設けて、上吹出しの陳列棚５ａと同様に調整用空気Ａの給排気を同一の陳列棚で行うことも可能である。
【００２９】
したがって、本例の収納装置１においては、天井からエアーカーテンを形成するために冷気を吹出す必要はない。このため、軽快な天井パネル６を配置できる。本例の収納装置１の天井パネル６は、軽く、薄い陳列棚５とほぼ同じサイズであり、２つの支柱３および４により支持されている。陳列棚５と同程度の天井パネル６により、収納装置全体の一体感があり、全体として軽快で、明るく開放感のあるデザインとなっている。すなわち、収納装置１は、エアーカーテン用のダクトが内蔵された天井部は不要であり、美観や、その他の条件を優先した天井パネルを設置できる。たとえば、本例の天井パネル６は透明な樹脂から形成されており、パネル６に照明手段を取り付けることなく、店舗やイベント会場に設置された照明だけで、陳列物を視認できる収納装置となっている。
【００３０】
また、ダクトが内蔵された重い天井部を支持するためには、支柱またはフレームも強度が高いものである必要があり、強度が優先されたデザインとなる。これに対して、収納装置１では、軽いトップパネル６を採用できるので、支柱３および４の強度は低くでき、細く、商品の取り出しや補充の作業性を優先したデザインとすることが可能である。また、本例の収納装置１では、陳列棚５から調整用空気Ａを吹出したり、吸い込んだりする方式なので、天井まですべての調整用空気Ａを供給する必要はない。したがって、上に行くほどダクトを細くすることも可能となり、この点でも、軽快なデザインの収納装置１を供給できる。特に、ダクト１４ｅ、１４ｓ、１５ｅおよび１５ｓを細くできるので、壁のようにダクトを広げなくても十分な断面積が確保でき、支柱３および４に沿わせて配置したり、内蔵することが容易となる。
【００３１】
したがって、収納装置１に示したように、ダクトが内蔵された細い２本の支柱３および４で各々の陳列棚５を支持する単純な構成でありながら、冷蔵あるいは温蔵機能を備えた収納装置１を提供できる。たとえば、オープンラックと称される事務用の収納装置とほぼ同じ外観で、それぞれの陳列棚に陳列された商品を冷蔵あるいは温蔵できる収納装置を提供できる。陳列棚全体において背面パネルを省くことにより、短手方向の両側から陳列棚の商品にアクセスできるような収納装置を提供することができる。背面パネルを設けても良いが、背面パネルに沿ってダクトを設置するという制限はないので、透明な背面パネルや、部分的に背面を覆うようなパネルなど、さまざまな背面パネルを取り付けることができる。
【００３２】
さらに、本発明にかかる収納装置１は、大きな天井部が不要であり、ダクトサイズも小さくできるので、商品の収納スペースを大きく確保でき、収納効率の高い収納装置を提供できるというメリットも備えている。また、調整用空気Ａを給排気するダクト１４および１５は、陳列棚５の一方の端を支持する細い支柱３および４と一体となっている。このため、商品を陳列するスペースまたは庫内の一部を占有することはなく、この点でも商品の収納効率が高くなっている。
【００３３】
図６に本発明の実施例となる、上記と異なる収納装置１ａを示してある。この収納装置１ａは、円柱状のベース２の中央付近から上方に延びた一本の支柱３ａを備えており、その支柱３ａに給排気用のダクト１５ｓおよび１５ｅが内蔵されている。さらに、収納装置１ａは、支柱３ａにより中央付近が支持されたディスク状で表面吹出しタイプの複数の陳列棚５ｄを備えており、その中央付近が支柱３ａにより回転可能に支持されている。陳列棚５ｄの表面５１には複数の吹出孔２３が分散して配置されており、支柱３ａの外側に沿った縁部分に吸込孔２５が配置されている。したがって、陳列棚５ｄの表面全体から吹出された調整用空気Ａは、中央の吸込孔２５から排気され、陳列棚５ｄの上側の区画１０を温度調整された収納あるいは陳列空間として利用できる。また、円板状のクリアパネル６を備えており、このクリアパネル６も支柱３ａにより支持されている。
【００３４】
この収納装置１ａは、３６０度の方向から陳列棚５ｄに配置された商品にアクセスでき、非常に開放感のあるデザインの収納装置１ａである。このような全体として対称な陳列棚を備えた収納装置１ａは、たとえば、店舗やイベント会場の中央のスペースに設置するのに適したデザインであり、陳列棚５ｄが支柱３ａに対して回転するので顧客が陳列棚５ｄを回転させて、所望の陳列物を手元に引き寄せることができる。なお、給排気ダクト１５ｓおよび１５ｅは支柱に内蔵する代りに、支柱に沿って配置することが可能である。
【００３５】
このように、本発明においては、１本の支柱で陳列棚を支持したデザインの収納棚を提供することも可能である。天井パネル６は省くことも可能であり、収納装置の開放感をさらにアップさせることもできる。また、一本の支柱３ａに、温風と冷風の給気ダクトと排気ダクトの両方を内蔵させることも可能であり、上記の収納装置１ａにおいて、設定条件の異なる空気Ａを供給可能とし、環境条件の異なる複数の空間を形成することも可能である。
【００３６】
図７（ａ）に、本発明の実施例となる、さらに異なる収納装置の概要を示してある。この収納装置１ｂは、中心角がほぼ９０度の扇状をした上吹出し型の複数の陳列棚５ｅを備えており、陳列棚５ｅの端部が支柱３ａにより支持されている。上記の収納装置１ａと同様に支柱３ａには冷風を給排気するダクト１５ｓおよび１５ｅが内蔵されており、各々の陳列棚５ｅの表面５１に設けられた吹出孔２３から調整用の冷気Ａを吹出して陳列棚５ｅの上に配置された商品を冷蔵できる。
【００３７】
このような非対称な収納装置１ｂは、たとえば、図７（ｂ）に示すように、店舗６０のコーナ６１や、陳列スペースの端６２に設置するのにも適しており、それらのスペースを商品を冷蔵あるいは温蔵しながら展示するスペースとして有効活用できる。
【００３８】
図８に、本発明の実施例となるさらに異なる収納装置を示してある。この収納装置１ｃは、ほぼ正方形の陳列棚５ｆを複数の支柱３ｃおよび３ｄにより支持している。そして、一方の支柱３ｃに冷風Ａ２を給排気するダクト１５ｓおよび１５ｅが収納されており、陳列棚５ｆの表面５１から冷風Ａを吹出して商品を冷蔵した状態で陳列できる。本発明の収納装置には上記の例に限らず、半円状や多角形状などのさまざまな形状の陳列棚を適用できる。また、支柱の形状もさまざまなものが採用でき、円柱、角柱に限らず、湾曲したり、屈曲したり、らせん状に形成された支柱であっても良い。
【００３９】
図９および図１０に、本発明の実施例となるさらに異なる収納装置の概要を示してある。図９に示した収納装置１ｄでは、支柱３および４の間に、陳列棚とは別に、独立した横走ダクト（分岐ダクト）２９が水平方向Ｘに掛け渡されており、その表面に吸込孔２５が設けられている。この横走ダクト２９は支柱４に内蔵された冷風の排気ダクト１５ｅと接続されている。一方、陳列棚５ｇは、給気ダクト２１を内蔵した表面吹出しタイプの陳列棚であり、内蔵ダクト２１は支柱４に内蔵された冷風の給気ダクト１５ｓに接続されている。したがって、本例の収納装置１ｄにおいては、陳列棚５ｇの表面５１から吹出された冷風Ａが、陳列棚５ｇの若干上方に位置する排気ダクト２９を介して排気され、陳列棚５の上の空間１０の温度を制御する。
【００４０】
一方、図１０に示す収納装置１ｅでは、支柱３および４の間に掛け渡された横走ダクト（分岐ダクト）２９に複数の吹出孔２３が列状に形成されており、支柱４の給気ダクト１５ｓから供給された調整用空気Ａがこれらの吹出孔２３から吹き出される。陳列棚５ｈは、その表面５１に複数の吸込孔２５が分散して配置されており、内部ダクト２２は支柱４の排気ダクト１５ｅに接続されている。したがって、陳列棚５ｈの若干上方から吹出された冷気Ａが陳列棚５の表面５１から吸込まれて陳列棚５ｈの上の空間の温度を制御する。
【００４１】
このように、陳列棚において調整用空気Ａの吹出しおよび吸込みの両方を行っても良く、あるいは、吹出しおよび吸込みのいずれか一方を陳列棚で行い、他方を横走ダクトで行うことも可能である。
【００４２】
また、上記の例では、ベース２に、調整用空気を生成する機械室１８が内蔵された例を示しているが、機械室１８は別ユニットとして提供することも可能であり、また、店舗などにおいては、本発明の収納装置の支柱のダクトに、店内の床下や天井などから調整用空気Ａが供給されるシステムとすることも可能である。
【００４３】
【発明の効果】
以上に説明したように、本発明においては、エアーカーテンを形成するのではなく、調整用空気を陳列棚から吹き出したり、吸い込むことにより陳列物の環境条件を制御し、調整用空気の給排気を行うダクトを備えた支柱により陳列棚を支持するようにしている。この収納装置により、エアーカーテンを用いるショーケースの数多くの制約を排除でき、構造的な制限が非常に少ない収納装置を提供できる。したがって、構成要素が支柱と陳列棚といった非常にシンプルで、開放感があると共に収納効率の高い様々な形態の収納装置をデザインでき、店舗やイベント会場などのショーケースを設置する場所にマッチした収納装置をフレキシブルにデザインできる。
【図面の簡単な説明】
【図１】本発明に係る収納装置の外観を示す斜視図である。
【図２】図１に示す収納装置における温風の流れを模式的に示す図である。
【図３】図１に示す収納装置における冷風の流れを模式的に示す図である。
【図４】陳列棚の構成を部分的に断面を用いて示す図である。
【図５】異なる陳列棚の構成を部分的に断面を用いて示す図である。
【図６】円盤状の陳列棚を用いた収納装置の外観を示す図である。
【図７】図７（ａ）は扇状の陳列棚を用いた収納装置の外観を示す図、図７（ｂ）はこの収納装置が店舗のコーナーなどに設置するのに適していることを説明するための図である。
【図８】さらに異なる収納装置の外観を示す図である。
【図９】横走ダクトを用いた収納装置を示す図である。
【図１０】横走ダクトを用いた、異なる収納装置を示す図である。
【符号の説明】
１、１ａ、１ｂ、１ｃ、１ｄ、１ｅ    収納装置
２    機械室
３、３ａ、３ｂ、４    支柱
５、５ａ、５ｂ、５ｃ、５ｄ、５ｅ、５ｆ、５ｇ、５ｈ    陳列棚
１０    空間
１４ｓ、１５ｓ    供給ダクト
１４ｅ、１５ｓ    排気ダクト
２３    吹出孔
２５    吸気孔
２９    横走ダクト
Ａ    調整用空気
【図１】
2004261350.tif 000003
【図２】
2004261350.tif 000004
【図３】
2004261350.tif 000005
【図４】
2004261350.tif 000006
【図５】
2004261350.tif 000007
【図６】
2004261350.tif 000008
【図７】
2004261350.tif 000009
【図８】
2004261350.tif 000010
【図９】
2004261350.tif 000011
【図１０】
2004261350.tif 000012